(57)【要約】【課題】  トランスコードの実行時に電源供給が十分でないなどの状況において途中でトランスコードを中断した場合、後で再度再開するときに連続した符号化ストリームを生成することができず、中断場所での画質や音質に影響する。【解決手段】  電源が切れるなどの状況においてトランスコードを途中で中断した場合、中断位置から再度トランスコード再開に必要な符号化情報を記憶しておく。【選択図】  図４
2006135705.tif 000002
【特許請求の範囲】
【請求項１】
符号化データをトランスコードする記録再生装置であって、
トランスコードの中断を判断する中断判定部と、
前記中断判定部の判断によりトランスコードを中断するときには中断時の符号化レートを記憶する記憶部と、
を有する記録再生装置。
【請求項２】
請求項１記載の記録再生装置であって、
前記中断判定部の判断によりトランスコードを中断するときには符号化データの位置情報を前記記憶部に記憶する記録再生装置。
【請求項３】
請求項２記載の記録再生装置はビデオカメラである記録再生装置。
【請求項４】
符号化データをトランスコードする記録再生方法であって、
トランスコードの中断を判定し、
前記判定に基づきトランスコードを中断するときには中断時の符号化レートを記憶する記録再生方法。
【請求項５】
請求項４記載の記録再生方法であって、
前記判定に基づきトランスコードを中断するときには符号化データの位置情報を記憶する記録再生方法。
【請求項６】
記録媒体に記録されている符号化されたストリームデータを読み出して復号化し、さらに所定の方式で再度符号化して記録媒体に記録するトランスコード機能を有する記録再生装置であって、
トランスコード機能の動作を途中で中断した場合には、再度トランスコード動作の再開に必要なトランスコード再開情報を記憶しておく記憶手段を具備することを特徴とする記録再生装置。
【請求項７】
請求項６記載の記録再生装置において、トランスコード動作の再開時、前記記憶手段に記憶したトランスコード再開情報を読み出し、読み出したトランスコード再開情報を元に符号化して任意の記録媒体に記録することを特徴とする記録再生装置。
【請求項８】
請求項７記載の記録再生装置において、前記トランスコード再開情報に中断時の符号化レート情報を含むことを特徴とする記録再生装置。
【請求項９】
符号化データを変換するトランスコード処理を行なう記録再生装置であって、
トランスコードの中断を判断する中断判定部と、
前記中断判定部の判断によりトランスコードを中断するときには中断時の符号化レートを記憶する記憶部と、
を有する記録再生装置。
【発明の詳細な説明】
【技術分野】
【０００１】
本発明は、トランスコード動作を途中で中断し、再開するときの処理方法及び処理装置に関する。
【背景技術】
【０００２】
近年、インターネットやサーバなどの環境では、ＭＰＥＧ（Ｍｏｖｉｎｇ  Ｐｉｃｔｕｒｅ  Ｅｘｐｅｒｔｓ  Ｇｒｏｕｐ）２方式のデータは、データ容量が大きいためホームページなどに添付する際に、データ容量の小さいＭＰＥＧ４方式に変換し、データ容量を減らしアップロードしたり、メールに添付して送信するなどの使い方がなされている。このため、一旦ＭＰＥＧ２方式で符号化し記録媒体に記録したデータを読み出して復号化し、さらにＭＰＥＧ４方式で再度符号化を行い記録媒体に記録するトランスコード機能（すなわち方式変換をともなうダビング機能）を用して、符号化レートまた、ＭＰＥＧ２からＭＰＥＧ４へ方式などを変えることがなされている。
【０００３】
ところで、様々な原因によりこのトランスコード動作を途中で中断する場合もある。トランスコード動作が中断した場合には、再度トランスコード動作を開始しても中断前後のストリームデータが連続しない。そのため再度ストリームデータの先頭からトランスコードを実行し連続したストリームデータを作成することになり、途中停止するまでのトランスコード動作をした部分のストリームデータが無駄になってしまうという問題があった。
【０００４】
このような、トランスコード動作の途中で中断した場合のストリームデータを連続させる技術としては、トランスコード動作中断時に、再生メディアの中断位置及び記録メディアの中断位置を示す情報を中断位置格納部に記録しておき、トランスコード再開時には、中断位置格納部より中断位置取得し、ストリームデータの連続性を実現している。（例えば、特許文献１参照）
【特許文献１】特開平２００１−９４９３５
【発明の開示】
【発明が解決しようとする課題】
【０００５】
ＭＰＥＧ方式による符号化においては、前に符号化したデータを一部使用し現在の画像の符号化を行う仕組みであるため、一秒間のデータ量の割り当てを決めるものである符号化レートは初期値から入力画像や音声の変化の度合いによって変化する。これにより、複雑な画像や動きの激しい画像時には符号化レートを高くして画質や音質を良好に保ち効率よくストリームデータを作成できる。例えば、初期値が５Ｍｂｐｓ（Ｍｅｇａ  ｂｉｔ  ｐｅｒ  ｓｅｃｏｎｄ）から始めても、画像が複雑になったり変化が激しい場面ではデータ量が大きくなり、符号化レートが１０Ｍｂｐｓになったりすることがある。そのため、トランスコード動作を中断した場所のデータ量が大きく符号化レートが１０Ｍｂｐｓであった場合、中断再開時の符号化レートを初期値の５Ｍｂｐｓで再開すると必要な情報が削減され画質や音質が劣化するという問題がある。
【０００６】
前記特許文献１記載の従来技術では、ＧＯＰ（Ｇｒｏｕｐ  ｏｆ  Ｐｉｃｔｕｒｅ）単位などで中断位置の情報を記録しておくことにより、トランスコード処理を再開して連続したストリームデータを生成することができるが、符号化レートの情報を記録することには配慮されていない。そのため、ＭＰＥＧデータの方式を変換してダビングを行うトランスコード動作の途中で中断した場合、符号化レートの情報がないので、初期値で中断位置から再開することとなり、連続した符号化レートのストリームデータにならなくなってしまい、中断した場所での画質や音質が劣化するという問題があった。
【０００７】
本発明の目的は、上記課題を解決することにある。
【課題を解決するための手段】
【０００８】
符号化データをトランスコードする際にトランスコードの中断を判定し、前記判定に基づきトランスコードを中断するときには現在の符号化レートを記憶する。
【発明の効果】
【０００９】
以上により、記録再生装置の高性能化が可能となる。
【発明を実施するための最良の形態】
【００１０】
以下、本発明の実施例を図１から図４により説明する。尚、本実施例では、記録媒体として光ディスクを使用し、トランスコードは前記光ディスクから再生したＭＰＥＧ２方式の信号をＭＰＥＧ４方式で再符号化して再度前記光ディスクに記録する場合で説明する。
【００１１】
図１は、本発明の一実施例である光ディスク記録媒体を用いたカメラ一体型記録再生装置の回路ブロック図を示す。図１において、１はマイク、２はオーディオ入力処理回路、３はレンズユニット、４は撮像センサー（ＣＣＤ ：Ｃｈａｒｇｅ  Ｃｏｕｐｌｅｄ  Ｄｅｖｉｃｅｓ）、５はカメラ映像信号処理回路、６はレンズユニット３のドライバ、７は符号／復号化処理回路、８はオーディオ出力回路、９は音声出力端子、１０は表示手段（ＬＣＤ：Ｌｉｑｕｉｄ  Ｃｒｙｓｔａｌ  Ｄｉｓｐｌａｙ）、１１は映像出力端子、１２は映像表示／出力処理回路、１３はＤ−ＲＡＭ(Ｄｙｎａｍｉｃ   Ｒａｎｄｏｍ  Ａｃｃｅｓｓ  Ｍｅｍｏｒｙ)、１４はカメラ側のカメラ制御マイコン、１５はフラッシュメモリ(Ｆ−ＲＯＭ：Ｆｌａｓｈ  Ｒｅａｄ  Ｏｎｌｙ  Ｍｅｍｏｒｙ)、１６は内蔵バッテリ、１７は挿抜監視手段、１８は不揮発メモリ(ＥＥＰ―ＲＯＭ：Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ)、１９はインターフェース（Ｉ／Ｆ）回路、２０は本装置の電源スイッチ（ＳＷ）、２１は充電回路、２２は外部電源入力端子、２３はバッテリ、２４は電源回路（ＤＣ−ＤＣコンバータ）、２５はディスクメディア、２６はスピンドルモータ、２７はディスクメディア２５へ記録再生を行うピックアップ、２８は再生回路、２９はディスクメディア２５の信号／制御処理回路、３０はＤ−ＲＡＭ、３１はピックアップ２７をディスクメディア２５上で移動させる送りモータ、３２は記録回路、３３はＳ−ＲＡＭ(Ｓｔａｔｉｃ  Ｒａｎｄｏｍ  Ａｃｃｅｓｓ  Ｍｅｍｏｒｙ)、３４はフラッシュメモリ（Ｆ−ＲＯＭ）、３５は不揮発メモリ(ＥＥＰ―ＲＯＭ)、３６はスピンドルモータ２６と送りモータ３１とピックアップ２７内のフォーカス方向およびトラッキング方向のアクチュエータ（図示せず）をそれぞれ駆動するアクチュエータドライバ、３７は記録再生部の制御マイコン、３８はカメラ部、３９は出力部、４０は制御部、４１は記録再生部をそれぞれ示す。上記したメモリはそれぞれ特性に合わせた用途に使用される。Ｄ−ＲＡＭ１３は符号／復号化処理回路７の処理データやカメラ制御マイコン１４の処理データなどの大量のデータを一時記憶するメモリである。Ｓ−ＲＡＭ３３は制御マイコン３７の作業用データの一時保管などに使用される。フラッシュメモリ１５は、カメラ制御マイコン１４を動作するプログラム等を記憶するメモリである。ＥＥＰ−ＲＯＭ１８、３５はカメラ部３８や記録再生部４１の機構系等の状態情報の保管に用いる。フラッシュメモリおよびＥＥＰ−ＲＯＭはともに、不揮発性の電気的に記録、消去が可能なメモリであるが、ＥＥＰ−ＲＯＭは小容量で低コストの用途に使用され、フラッシュメモリは大容量の情報の記憶に使用されている。
【００１２】
ここで、まずカメラ部３８の動作を説明する。画像情報はドライバ６によって駆動されるレンズユニット３を介して、撮像センサー(ＣＣＤ)４にて電気信号に変換され、カメラ映像信号処理回路５にて映像信号に変換され、符号／復号化処理回路７に送られる。一方、音声はマイク１を介して、オーディオ入力処理回路２にて音声信号に変換され、符号／復号化処理回路７に送られる。
【００１３】
次に、出力部３９の動作を説明する。上記の映像及び音声信号は符号／復号化処理回路７にて、デジタル化及び符号化されデジタル信号に変換される。符号化方式としては動画を扱うＭＰＥＧ方式や静止画を扱うＪＰＥＧ（Ｊｏｉｎｔ  Ｐｈｏｔｏｇｒａｐｈｉｃ  Ｅｘｐｅｒｔｓ  Ｇｒｏｕｐ）方式などを実施する。出力としては、符号／復号化処理回路７から音声信号はオーディオ出力回路８を介して音声出力端子９に出力される。また、映像信号は映像表示／出力処理回路１２を介して表示手段(ＬＣＤ)１０にて表示すると同時に、映像出力端子１１より出力される。
【００１４】
次に、制御部４０の動作を説明する。本装置は電源スイッチ２０の入力を検知し、本装置を構成する各回路や各手段に電源部から所要の電圧、電流が供給されることにより動作する。カメラ制御マイコン１４はドライバ６を介してレンズユニット３を制御して、撮像センサー(ＣＣＤ)４上に被写体の希望の画像を捕らえる。また、符号／復号化処理回路７にて、動画や静止画をデジタル化及び符合化してデジタル信号にし、Ｄ−ＲＡＭ１３に一時記憶するように制御する。このデジタル信号は、インターフェース回路１９を介して、記録再生部４１の信号／制御処理回路２９へ送られる。また、カメラ制御マイコン１４は充電回路２１を監視して電源状態を把握したり、電源スイッチ２０の入力を検知してカメラ部３８の電源処理を行う。内蔵バッテリ１６は、カメラ制御マイコン１４に供給され日付などのバックアップ情報の保持に使用される。また、挿抜監視手段１７はディスクメディア２５の挿抜を監視する手段であり、具体例としては挿入部などにディスクメディア２５の有無を検出するスイッチを設けて監視する。ここで、前記検出スイッチはバッテリ２３から電気を供給するので、電気的な信号出力を有するもので構成されている。
【００１５】
最後に、記録再生部４１の動作を説明する。記録再生部４１は、インターフェース回路１９から入力された動画または静止画のデジタル信号を信号／制御処理回路２９とＤ−ＲＡＭ３０にてディスクメディア２５に応じた記録フォーマットに変換し、記録回路３２、ピックアップ２７を介してディスクメディア２５に記録する。また、このディスクメディア２５とピックアップ２７の相対位置は、ピックアップ２７を時分割にて再生動作して、ディスクメディア２５上から予め書き込まれた位置情報を再生回路２８を介して検出し、信号／制御処理回路２９および制御マイコン３７にて処理し、アクチュエータドライバ３６を介して、スピンドルモータ２６と送りモータ３１および図示していないピックアップ２７内に設けられたフォーカス及びトラッキングアクチュエータを駆動して制御する。ちなみに、Ｓ−ＲＡＭ３３およびフラッシュメモリ３４は制御マイコン３７にて行うピックアップ２７の位置制御やレーザーパワー等の演算データの一時記憶やプログラム等を記憶する。また、不揮発メモリ３５は、制御マイコン３７で演算したピックアップ２７の位置等の演算データなどの情報を記憶する。
【００１６】
以上、記録動作について述べたが、再生時にはほぼこれらの反対の動作が行われる。すなわち、ディスクメディア２５からピックアップ２７および再生回路２８を介してディスクメディア２５上の情報を読み出し、信号／制御処理回路２９および制御マイコン３７によりディスクメディア２５に応じた記録フォーマットをＭＰＥＧ方式のデジタル信号に復調し、インターフェース回路１９を介して符号／複合化処理回路７へ戻し、ここで、符号化されている映像信号および音声信号を復号化して、映像表示／出力処理回路１２やオーディオ出力回路８を介して表示手段１０および音声出力端子９と映像出力端子１１に出力する。
【００１７】
さらに、電源部として、外部電源入力端子２２を有し、外部からの電源供給を可能としている。また、この外部電源入力端子２２を介して外部電源により充電回路２１を駆動し、バッテリ２３を充電する。外部電源が供給されているときは、外部電力を電源回路２４で所要の電圧に変換して本装置を構成する各回路や各手段に供給し、外部電源が接続されていないときには、バッテリ２３からの電力を電源回路２４を介して各回路や各手段へ供給する。
【００１８】
ここで、映像信号を扱うディスクメディア２５としては、たとえば、再生専用としてＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、１回のみの追記型としてＤＶＤ−Ｒ（Ｄｉｇｉｔａｌ  Ｖｅｒｓａｔｉｌｅ  Ｄｉｓｃ  Ｒｅｃｏｒｄａｂｌｅ）、書き換え可能なメディアとしてＤＶＤ−ＲＷ（Ｄｉｇｉｔａｌ  Ｖｅｒｓａｔｉｌｅ  Ｄｉｓｃ  Ｒｅｗｒｉｔａｂｌｅ）およびＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）などがある。
【００１９】
次に、トランスコード機能時の動作の概略を説明する。
【００２０】
まず、トランスコード動作開始の要求時には、メニューからトランスコード処理するシーンを指定するとともに初期設定をして変換方式（ＭＰＥＧ４）、変換画像サイズ、符号化レートを設定し、トランスコード動作を開始する。動作としては、記録再生部４１のディスクメディア２５から記録データを読み込み信号制御処理回路２９にてＭＰＥＧ２で符号化されているデジタル信号とし、インターフェース回路１９を介して符号／復号化処理回路７に送り、デジタル信号を映像データ及び音声データに復号する。そして復号した映像データ及び音声データを符号／復号回路７にて初期設定された変換方式（ＭＰＥＧ４）、変換画像サイズ、符号化レートの初期値を元に再度ＭＰＥＧ４方式で符号化する。符号化したデジタル信号は、インターフェース回路１９から記録再生部４１に送られ、信号制御処理回路２９にてディスクメディア２５に応じた記録フォーマットに変換し、記録回路３２、ピックアップ２７を介してディスクメディア２５に記録される。尚、符号化レートについては、入力画像や音声の変化の度合いによってトランスコード動作中に変化している。例えば、初期値が５Ｍｂｐｓから始めても、画像が複雑になったり変化が激しい場面ではデータ量が大きくなり、符号化レートが１０Ｍｂｐｓになったりすることがある。
【００２１】
ビデオカメラなどの携帯機器などでトランスコード動作を行う場合には常に電源供給が十分であるとは限らないため、トランスコード動作を行っている途中で電源供給が十分でなくなった場合には、バッテリ交換などする必要があり、トランスコード動作を途中で中断する形となる。また、トランスコード動作中にユーザが撮影や再生、他の編集作業をしたくなり、トランスコード動作を中断する場合もある。このようにトランススコード動作を行っている途中において、トランスコード動作停止操作や電源がなくなるなど途中で中断した場合に、再度トランスコード動作が再開できるように、ディスクメディア２５上の記録、再生中断時のアドレス位置や、変換方式、変換画像サイズの情報、中断したことの情報を記憶手段であるＥＥＰ―ＲＯＭ１８に記憶しておく。また、中断位置はＧＯＰ単位での中断とする。ここで前記中断時点での符号化レートの情報がないと初期値の符号化レートでトランスコード動作を開始するために、連続した符号化レートのストリームを作成することが困難になる。例えば、中断時の符号化レートが１０Ｍｂｐｓだった場合、その中断場所付近はデータ量が大きいので、初期値の５Ｍｂｐｓで符号化すると情報量が削減されて画質や音質が劣化してしまう。そこで、本実施例では、トランスコード動作の再開時に必要な前記中断時の符号化レートの情報もＥＥＰ―ＲＯＭ１８に記憶しておくことにより、トランスコード中断場所での連続した符号化レートのストリーム生成を実現し、中断場所での画質や音質の劣化を防止することができる。
【００２２】
図２は本実施例である光ディスク記録媒体を用いたカメラ一体型記録再生装置でトランスコード動作を行う際の符号／復号化処理回路７の内部及びトランスコード動作に関する部分のブロック図である。まず、記録再生部４１の記憶媒体であるディスクメディア２５からトランスコードを行うため記録データを読み込み、ＭＰＥＧ２で符号化されているデジタル信号として符号／復号化処理回路７へ送る。そして、符号／復号化処理回路７で復号化及び再符号化を行う。まず、ストリーム分離２０７で入力されたデジタル信号から符号化映像データと符号化音声データを分離し、それぞれの画像復号化器２０２、音声復号化器２０３で映像データと音声データに復号する。そして、いったん復号した映像データと音声データを画像復号化器２０４、音声符号化器２０５でＭＰＥＧ４方式にて再符号化を行う。そして、符号化した符号化映像データ、符号化音声データをストリーム生成２０６で多重化しデジタル信号としてストリームデータを作成する。その後、デジタル信号をまた記録再生部４１に送り、ディスクメディア２５に記録する。またここで、トランスコード動作を一時停止したときは、ＥＥＰ−ＲＯＭ１８にディスクメディア２５上の記録、再生中断時のアドレス位置や、変換方式、変換画像サイズの情報、中断したことの情報及び中断時の符号化レートの情報を記録しておくようにしている。尚、上記符号化レート等の情報を記録しておくメモリとしては、不揮発性のものならどこでもよく、例えば、フラッシュメモリ１５でも構わない。ここで、本実地例では復号化と符号化を１つの処理回路で行うため、トランスコード動作時の上記符号化レート等の情報の記憶及び管理を１元管理できるメリットもある。
【００２３】
図３では、本実施例のカメラ一体型記録再生装置におけるトランスコード動作開始の基本処理のフローチャートを示す。
【００２４】
まず、ステップＳＴ３０１にてユーザから所定の操作でトランスコード動作の開始要求があったとき、ステップＳＴ３０２にてメニューからトランスコード処理するシーンを指定するとともにトランスコード情報(符号化レート、変換方式、変換画像サイズ)を初期設定すると、トランスコード情報の初期値をＤ−ＲＡＭ１３に一時保存するとともにトランスコード動作を開始する。ステップＳＴ３０３にてディスクメディア２５からＭＰＥＧ２方式で記録されたデータを読み込む。ステップＳＴ３０４にて符号化映像データと符号化音声データを分離し、ステップＳＴ３０５にて映像データ、音声データに復号する。その後ステップＳＴ３０６にてＤ−ＲＡＭ１３から取得したトランスコード情報を使用し復号した映像データ、音声データの再度符号化をＭＰＥＧ４方式で行う。ステップＳＴ３０７にて符号化映像データと符号化音声データの多重化を行い、ストリームデータを生成する。ステップＳＴ３０８にて、生成ストリームデータをディスクメディア２５に記録する。そして、ステップＳＴ３０９でカメラ制御マイコン１４がトランスコード動作の中断判定を行う。ここでの判定で電源供給が十分であるかなどの判定を行う。電源供給が十分でなく中断する場合やユーザ操作によりトランスコード動作が中断された場合には、ステップＳＴ３１０にてＧＯＰ単位でトランスコード動作を終了するとともにトランスコード再開情報としてトランスコード動作中断時のディスクメディア２５上の記録場所のアドレス及び再生場所のアドレス、中断したことの情報、中断時の符号化レート、及び初期設定値（変換方式、変換画像サイズ）をＥＥＰ−ＲＯＭ１８に保存し終了する。また、撮影者がトランスコード中に撮影を要求した場合には、やはりステップＳＴ３０９でカメラ制御マイコン１４が撮影スタートボタンやトランスコード中断を指示するボタンなどから中断判定を行う。これにより撮影チャンスを逃すことが少なくなる。再生や他の編集作業の要求の場合にも同様に中断判定を行うことにより、再生や他の編集作業をすぐに始めることができる。またステップＳＴ３０９にて中断なき場合には、ステップＳＴ３１１にてトランスコード動作の終了判定を行う。指定したシーンのトランスコード処理が終了していない場合には、ステップＳＴ３０３に戻りトランスコード動作を繰り返す。指定したシーンのトランスコード処理が終了していた場合は、トランスコード動作を終了する。尚ここで、符号化レートについては、入力画像や音声の変化の度合いによって変化しているので、ステップＳＴ３１１に戻った場合には初期設定値の符号化レートは変わっている場合がある。
【００２５】
図４では、本実施例のカメラ一体型記録再生装置におけるトランスコード動作の再開時の基本処理のフローチャートを示す。まず、ステップＳＴ４０１でユーザから所定の操作でトランスコード動作再開の要求があると、図３ステップ３１０でＥＥＰ―ＲＯＭ１８に記憶したトランスコード動作を中断したことの情報から判断する。そして、ステップＳＴ４０２にてトランスコード再開情報（中断時の記録アドレス、再生アドレス、符号化レート）及び初期設定値（変換方式、変換画像サイズ）をＥＥＰ―ＲＯＭ１８から取得し、Ｄ−ＲＡＭ１３に一時保存するとともにステップＳＴ４０３にて取得した情報を設定しトランスコード動作を再開する。ステップＳＴ４０４にて中断時の再生アドレス位置からの記録データを読み込む。ステップＳＴ４０５にて符号化映像データと符号化音声データを分離し、ステップＳＴ４０６にて映像データ、音声データに復号する。その後、ＥＥＰ−ＲＯＭ１８に記憶しておいたトランスコード情報及びトランスコード再開情報を使用し、ステップＳＴ４０７にて復号した映像データ、音声データの符号化をおこなう。ステップＳＴ４０８にて符号化映像データと符号化音声データの多重化を行い、ストリームデータを生成する。ステップＳＴ４０９にて、生成ストリームデータをディスクメディア２５に記録する。そして、ステップＳＴ４１０でトランスコード動作の中断判定を行う。中断する場合には、ステップＳＴ４１１にてＧＯＰ単位でトランスコード動作を終了するとともにトランスコード再開情報をＥＥＰ−ＲＯＭ１８に保存し終了する。また、中断なき場合にはステップＳＴ４１２にてトランスコード動作の終了判定を行う。終了でない場合には、ステップＳＴ４０３に戻りトランスコード動作を繰り返す。指定した番組のトランスコード処理が終了していた場合は、トランスコード動作を終了する。尚ここで、符号化レートについては、入力画像や音声の変化の度合いによって変化しているので、ステップＳＴ３１１に戻った場合には初期設定値の符号化レートは変わっている場合がある。
【００２６】
以上説明したように、本発明ではトランスコード動作再開時には中断時の符号化レートを使用して符号化をするので、トランスコード中断場所での連続した符号化レートのストリーム生成を実現し、中断場所での画質や音質の劣化を防止することができる。
【００２７】
本実施例では、記録媒体として光ディスクのディスクメディアの場合で説明したが、記録媒体はこれに限ったものでなくても構わない。例えば、ハードディスク、メモリカード等でも構わない。
【００２８】
本実施例では、ディスクメディア２５からデータを読み出し、変換後再度ディスクメディア２５に書き戻しており、読み出しと書き込みを同じ記録媒体としているが、読み出しの記録媒体と書き戻し記録媒体を別にしても構わない。例えば、読み出しは光ディスクで書き込みはメモリカードのようにしても構わない。
【００２９】
本実施例では、トランスコード動作時、ＭＰＥＧ２からＭＰＥＧ４へ方式を変換する場合で説明したが、別の方式でも構わない。例えば、符号化を行う方式は、画像で言えば、ＭＰＥＧ７やＨ．２６４など方式はなんでもよい。また、音声では、リニアＰＣＭやＧ．７２６、ＡＣ３、ＡＡＣなど方式はなんでもよい。
【図面の簡単な説明】
【００３０】
【図１】本実施例であるカメラ一体型記録再生装置の回路ブロック図。
【図２】本実施例である符号／複号化処理回路７の内部及びトランスコード機能に関する部分のブロック。
【図３】本実施例であるカメラ一体型記録再生装置におけるトランスコード動作開始時の基本処理のフローチャート。
【図４】本実施例であるカメラ一体型記録再生装置におけるトランスコード動作再開時の基本処理のフローチャート。
【符号の説明】
【００３１】
１．マイク、２．オーディオ入力処理回路、３．レンズユニット、
４．撮像センサー（ＣＣＤ）、５．カメラ映像信号処理回路、６．ドライバ、
７．符号／復号化処理回路、８．オーディオ出力回路、９．音声出力端子、
１０．表示手段（ＬＣＤ）、 １１．映像出力端子、１２．映像表示出力処理回路、
１３．Ｄ−ＲＡＭ、１４．カメラ制御マイコン、
１５．フラッシュメモリ（Ｆ−ＲＯＭ）、１６．内蔵バッテリ、１７．挿抜監視手段、
１８．不揮発メモリ（ＥＥＰ−ＲＯＭ）、１９．Ｉ／Ｆ回路、
２０．電源スイッチ（ＳＷ）、２１．充電回路、２２．外部電源入力端子、
２３．バッテリ、２４．電源回路（ＤＣ−ＤＣコンバータ）、２５．ディスクメディア、
２６．スピンドルモータ、２７．ピックアップ、２８．再生回路、
２９．信号／制御処理回路、３０．Ｄ−ＲＡＭ、３１．送りモータ、３２．記録回路、
３３．Ｓ−ＲＡＭ、３４．フラッシュメモリ（Ｆ−ＲＯＭ）、３５．不揮発メモリ（ＥＥＰ−ＲＯＭ）、
３６．アクチュエータドライバ、３７．制御マイコン、３８．カメラ部、３９．出力部、
４０．制御部、４１．記録再生部、
２０２．画像復号化器、２０３．音声復号化器、２０４．画像復号化器、
２０５．音声符号化器、２０６．ストリーム生成、２０７．ストリーム分離
【図１】
2006135705.tif 000003
【図２】
2006135705.tif 000004
【図３】
2006135705.tif 000005
【図４】
2006135705.tif 000006